(57)【要約】【課題】バックルによるバンドの係止が確実で、解除する時は容易に解除できるバックル、バックル付バンド、およびヘルメットを提供する。【解決手段】凹凸部１，２を有するバンド３を固定するためのバックル４であり、バックル本体４Ａと、バンド支持体４Ｂと、バックル本体に形成され、凹凸部１，２を有するバンド３が挿入できる挿入部５と、バックル本体に一端８が連結され、他端が揺動可能な自由端９とされた弾性部材７と、弾性部材７の自由端９に形成され、挿入部５にバンド３が挿入された際に凹凸部１，２と係合する係合部１０と、バックル本体に回動可能に取り付けられ、一端が操作部１６とされ、他端には弾性部材７の自由端９と係合可能な解除部１５が形成された解除部材１１とを有する。【選択図】　図１
2004000501.tif 000002
【特許請求の範囲】
【請求項１】
凹凸部（１，２）を有するバンド（３）を固定するためのバックル（４）であって、
バックル本体（４Ａ）と、
前記バックル本体（４Ａ）に固定されたバンド支持体（４Ｂ）と、
前記バックル本体（４Ａ）に形成され、前記凹凸部（１，２）を有するバンド（３）が挿入できる挿入部（５）と、
前記バックル本体（４Ａ）に一端（８）が連結され、他端が揺動可能な自由端（９）とされた弾性部材（７）と、
前記弾性部材（７）の前記自由端（９）に形成され、前記挿入部（５）に前記バンド（３）が挿入された際に前記凹凸部（１，２）と係合する係合部（１０）と、
前記バックル本体（４Ａ）に回動可能に取り付けられ、一端が操作部（１６）とされ、他端には前記弾性部材（７）の前記自由端（９）と係合可能な解除部（１５）が形成された解除部材（１１）とを有し、
前記解除部材（１１）の前記操作部（１６）を押すことにより、前記解除部（１５）が前記弾性部材（７）の自由端（９）を押し上げ、前記バンド（３）の前記凹凸部（１，２）と前記弾性部材（７）の前記係合部（１０）との係合を解くバックル。
【請求項２】
前記解除部材（１１）の前記操作部（１６）には止め部（１７）が設けられ、前記バックル本体（４Ａ）の前記止め部（１７）と対向する部分には、前記止め部（１７）の移動範囲を規制する受部（１９）が設けられた請求項１記載のバックル。
【請求項３】
前記解除部材（１１）の前記解除部（１５）が、前記弾性部材（７）の自由端（９）の下方に配置されている請求項１又は２に記載のバックル。
【請求項４】
前記解除部材（１１）の前記解除部（１５）の先端には反り上がった突起（３０）が形成され、前記弾性部材（７）の自由端（９）の下面には溝（３１）が形成され、前記突起（３０）は前記溝（３１）に嵌合されている請求項１から３のいずれかに記載のバックル。
【請求項５】
前記バンド（３）の前記凹凸部（１，２）はバンド長手方向に沿って鋸歯状の断面形状を有し、前記バンドバンド（３）が挿入自在であるが引き抜き不能であるように前記弾性部材（７）の前記係合部（１０）の形状が設定されている請求項１から４のいずれかに記載のバックル。
【請求項６】
前記バックル本体（４Ａ）と前記解除部材（１１）は合成樹脂で形成されている請求項１から５のいずれかに記載のバックル。
【請求項７】
前記解除部材（１１）と前記バックル本体（４Ａ）よりも硬質な合成樹脂で形成されている請求項６記載のバックル。
【請求項８】
少なくとも一端部に凹凸部（１，２）を有するバンド（３）と、このバンド（３）の他端部に固定され、前記一端部を差し込んで固定するためのバックルとを有するバックル付バンド（２０）であって、
前記バックルは、請求項１から７のいずれに記載のバックル（４）であるバックル付バンド。
【請求項９】
ヘルメット本体（２２）と、このヘルメット本体（２２）の内周に取り付けられたバックル付バンドとを有するヘルメットであって、
前記バックル付バンドは請求項８記載のバックル付バンド（２０）であるヘルメット。
【発明の詳細な説明】
【０００１】
【発明が属する技術分野】
本発明は、バンドの端部を挿入して係止するためのバックル、そのバックルを備えたバックル付バンド、およびそのバックル付バンドを使用したヘルメットに関する。
【０００２】
【従来の技術】
従来より、作業現場や工事現場では、帽体（ヘルメット本体）と、帽体内に設けられたハンモックと、帽体内に設けられかつ着用者の頭部を囲繞するバックル付バンドとを有する構造のヘルメットが使用されている。一般的には、このバックル付バンドは、一端に連設された孔とバックル付バンドの他端に設けられた突起とを嵌め合わせることにより、そのサイズを着用者の頭部の大きさに合わせて調整できる構造を有している。しかし、この構造ではバックル付バンドのサイズが着用者の頭部の大きさに適合するまで孔と突起との嵌合位置を変えて調整する必要があり、調整に手間がかかっていた。
【０００３】
このため、種々のバックルの構造や、この構造を有するヘルメット用バックル付バンド等の提案もなされている。例えば、対向する底板と天井枠と側板からなり、内部が係合溝を有するバンドの挿通空間とされたバックル本体と、一端部下面にバンドの係合溝に係合可能な係合爪を有するとともに他端部上面を押圧部とした操作板を天井枠の内側にバンドと水平になるように設置し、操作板の略真ん中を支点として、シーソーのような機構によって押圧部を押すことにより係合爪を持ち上げて係合状態を解除するバックルが提案されている（例えば、特許文献１参照）。
【０００４】
しかし、この構造によるとシーソーのような機構のため、係合溝と係合爪の係合部分の高さ分に相当する分だけ押圧部を押し下げなければならず、係合状態を確実にするために係合部分の高さが増すと必然的に押圧部の押し下げ距離を確保することになるため、略真ん中の支点からの距離を十分に取る必要から操作板の長さが長くなり、バックル本体の長さも長くならざるを得なかった。
【０００５】
操作板と支点とバックル天井枠とを一体として合成樹脂により成形した場合には、係合力あるいは解除力は支点に集中するために、長く係合、解除を繰り返すことにより支点部分が疲労を生じ、破損の原因となる恐れもあった。
【０００６】
また、バックルの側壁部に操作部を設け、この操作部を内方へ押圧することによって係止片の両側のテーパー部に当接させながら係止状態を解除するバックルが提案されており（例えば、特許文献２参照）、このバックルを使用したヘルメット用バックル付バンドが提案されている（特許文献３参照）。
【０００７】
しかし、この構造のバックルにおいては操作部を側壁部に設けているために幅が広くなり、しかも係止状態を解除するためには少なくとも指２本によってつまんで押圧しなければならず、ワンタッチの解除をすることが困難であった。
【０００８】
また、一方の端部は鋸歯状の挿入部となっており、他方の端部は鋸歯受けの突部構造を有する被挿入部となっており、鋸歯受けの突部を有する被挿入部は、指が掛かる厚肉部を有し、該厚肉部を帯状体面に対し頭部外側に押し上げることにより係合状態を解除することで調整が簡単にできるヘッドバンドの構造が提案されている（例えば、特許文献４参照）。
【０００９】
しかしながら、このヘッドバンドでは、鋸歯状の挿入部と鋸歯受けの突部の係合状態を解除するには、肉厚部に指を掛けて帯状体面に対し頭部外側に押し上げるように力を加える必要があるため、その際に指が滑って外れたり、又指先が痛くなることも懸念され、必ずしも機能的に満足するものではなかった。
【００１０】
【特許文献１】特開２０００−１３５１０３号公報（特許請求の範囲、図１、図３）
【特許文献２】実公平２−２７７６３号公報（実用新案登録請求の範囲、図１、図４、図５、図７）
【特許文献３】特開２０００−５０９０９号公報（特許請求の範囲、図５、図６）
【特許文献４】特願２００１−２３１６１４号公報（特許請求の範囲、図４）
【００１１】
【発明が解決しようとする課題】
本発明は、バンドとバックルとの係止状態を確実に行い、解除する時は容易に解除できるバックルを提供することを課題とする。また、フィット感を簡単に調整できるバックル付バンドと、これを用いたヘルメットを提供することにある。
【００１２】
【課題を解決するための手段】
本発明のバックルは、凹凸部を有するバンドを固定するためのバックルであって、バックル本体と、前記バックル本体に固定されたバンド支持体と、前記バックル本体に形成され、前記凹凸部を有するバンドが挿入できる挿入部と、前記バックル本体に一端が連結され、他端が揺動可能な自由端とされた弾性部材と、前記弾性部材の前記自由端に形成され、前記挿入部に前記バンドが挿入された際に前記凹凸部と係合する係合部と、前記バックル本体に回動可能に取り付けられ、一端が操作部とされ、他端には前記弾性部材の前記自由端と係合可能な解除部が形成された解除部材とを有する。前記解除部材の前記操作部を押すことにより、前記解除部が前記弾性部材の自由端を押し上げ、前記バンドの前記凹凸部と前記弾性部材の前記係合部との係合が解かれる。
【００１３】
本発明のバックル付バンドは、少なくとも一端部に凹凸部を有するバンドと、このバンドの他端部に固定され、前記一端部を差し込んで固定するための前記バックルとを有する。
【００１４】
本発明のヘルメットは、ヘルメット本体と、このヘルメット本体の内周に取り付けられた前記バックル付バンドとを有する。
【００１５】
【発明の実施の形態】
以下、図面を参照しながら本発明を詳細に説明する。なお、以下の説明で使用する上下は図１の状態に基づくものとし、バックルの使用状態を限定するものではない。
【００１６】
図１は、本発明のバックルの一実施形態を示す斜視図である。図１に示すように、このバックル４はバックル本体４Ａと、このバックル本体４Ａに一体的に固定されたバンド支持体４Ｂとを有する。この実施形態のバックル４は、帯状のバンド３の一端部に一体成形され、バンド３の他端部のバックル４と同じ側の表面には、図３に示すように、バンド幅方向に延びる凹部１と凸部２が交互に多数形成されている。バックル４のバックル本体４Ａには、バンド３との境目に沿ってバンド長手方向にバンド３を挿入できるスロット状の挿入部５が形成されている。挿入部５に挿入されたバンド３は、バンド支持体４Ｂによって支持される。バックル本体４Ａは、バンド長手方向に延びる一対の側壁部６、６と、これら側壁部６、６の一端同士をつなぐ枠部となる側壁部１８を有している。
【００１７】
バックル本体４Ａの側壁部６、６の間には、バンド長手方向に延びる板バネ状の弾性部材７が設けられている。この実施形態では、弾性部材７の一端は固定端８として側壁部６、６と一体成形されている。枠部１８に近い弾性部材７の他の端部はバックル本体４Ａと連結されていない自由端９とされ、自由端９は弾性的に上下に動くようになっている。枠部１８と自由端９との間には、一定の間隙があけられている。弾性部材７は、バンド支持体４Ｂと略等間隔をあけて配置されており、図２に示すように、バンド３の曲率とほぼ同じ曲率をもって湾曲している。ただし、弾性部材７は湾曲していなくてもよく、例えば平板状であってもよい。
【００１８】
本発明では、必ずしも弾性部材７をバックル本体４Ａと一体に形成しなくてもよい。例えば、弾性部材７を別体として、バックル本体４Ａに機械的に、もしくは接着、融着等により固定してもよい。その場合、弾性部材７のみを、バックル本体４Ａよりも弾性に富む材質で形成することもできる。
【００１９】
自由端９の下面には、図２、図５および図６に示すように、バンド幅方向に延びる係合部１０が形成され、挿入部５に沿ってバンド３を挿入すると、この係合部１０がバンド上面のいずれかの凹部１に嵌まり、バンド３が抜けないようになっている。この係合状態を確保する点から、係合部１０は係止爪とすることが好ましい。
【００２０】
弾性部材７は、全長に亘ってほぼ一定の肉厚を有し、その肉厚はバンド３を強く引っ張っても係合部１０が容易には持ち上がらない程度の弾性力が得られるように設定されている。ただし、弾性部材７の肉厚は一定でなくてもよく、例えば、自由端９から固定端８に向かうにつれ厚くなるように形成し、弾性力をさらに向上させてもよい。弾性部材７は、係合部１０がバンド３を常に押さえつけるように形成されていてもよいし、凹部１と係合部１０が噛み合いはするがバンド３を押さえつける付勢力は生じないように形成されていてもよい。
【００２１】
枠部１８と、弾性部材７の自由端９との間には、バンド３を解放するための矩形状の解除部材１１が配置されている。この解除部材１１は操作性の点からレバーとすることが好ましい。解除部材１１の弾性部材７に近い側の基端部の両側面には、丸い穴である軸受部１２がそれぞれ形成されている。一方、バックル４の側壁部６、６には円柱状の凸部である軸部１３、１３が形成され、これら軸部１３、１３が軸受部１２、１２に嵌合されている。これにより、解除部材１１は軸受部１２を中心として回動可能とされている。
この実施形態では軸受部１２が凹部、軸部１３が凸部とされているが、軸受部１２が凸部、軸部１３が凹部であってもよい。さらに、軸受部１２の一方を凸部、他方を凹部とし、軸部１３の一方を凸部、他方を凹部としてもよい。
【００２２】
この実施形態では、図１に示すように、解除部材１１の基端部側において、各軸受部１２の一部に軸部１３の直径よりも小さい開口幅を有する切り欠き部１４がそれぞれ形成されている。これら切り欠き部１４により、軸部１３、１３が軸受部１２、１２に容易に挿入でき、かつ、挿入が完了した後は、軸部１３、１３が軸受部１２、１２から抜け落ちない効果が得られる。すなわち、解除部材１１をバックル４に装着する場合には、図１に示すように、解除部材１１を垂直に立てて、切り欠き部１４を軸部１３、１３に当接させ、Ａ方向に強く押すことにより切り欠き部１４が若干開き、軸部１３、１３が軸受部１２、１２に容易にはまりこむ。挿入完了後は、解除部材１１をＢ方向にほぼ９０゜回転させ、枠部１８と弾性部材７の間に解除部材１１を収容する。
【００２３】
解除部材１１をバックル４に装着する場合に、側壁部６、６が弾力的に広がる構造とすれば、特に切り欠き部１４を設けなくとも良い。しかし、切り欠き部１４を設けることにより、側壁部６、６の弾力性を高めるために剛性を低下させなくても、別体とした解除部材１１を嵌め込む場合に軸受部１２、１２と軸部１３、１３との嵌合が容易となる。しかも、解除部材１１を倒した後は、切り欠き部１４の向きと解除部材１１の脱落方向とが一致しなくなるため、側壁部６、６の剛性を高められることと相まって、軸受部１２から軸部１３が外れにくいという効果を有する。
【００２４】
上記構造により、解除部材１１がバックル本体４Ａとは別体であっても、容易に脱着できるため、バックル本体４Ａおよび弾性部材７と解除部材１１とを異種の材質で形成することもできる。したがって、各部に最適な特性が得られるように、各部の材質を適宜選択できる利点がある。もちろん、同種の材質で形成してもよい。解除部材１１の色をバックル本体４Ａとは異ならせ、押圧操作をわかりやすくすることも容易である。解除部材１１のみに夜光材料または蓄光材料を添加し、夜間に光らせて目立たせることも可能である。
【００２５】
本発明では、解除部材１１が基端部側を支点として回動可能となるような構造であれば良く、解除部材１１の支持構造は上記のような軸と軸受の組み合わせに限定されない。解除部材１１を複数の支点で支えるような構造も可能であるし、バックル本体４Ａに設けた弾性体により解除部材１１を回動可能に支持する構造も可能である。
【００２６】
解除部材１１の基端部には、図２、図５および図６に示すように、操作部１６が押された際に、弾性部材７の自由端９を持ち上げるための解除部１５が形成されている。解除部１５は、軸受部１２、１２に対して操作部１６とは反対側に位置しており、操作部１６を押すと梃子の原理により軸受部１２、１２を支点として解除部１５が持ち上がり、さらに弾性部材７の自由端９が持ち上げられる。これにより、係合部１０がバンド３の凹部１から外れ、バンド３の係止が解除される。
【００２７】
図２および図６に示すように、解除部１５から軸受部１２の中心までの距離Ｌ１を小さくし、軸受部１２の中心から操作部１６までの距離Ｌ２を大きくすることにより、梃子の原理により、小さな押圧力で大きな解除力を得ることができる。解除部１５が発生する解除力のモーメントをＦ１、操作部１６の押し付け力のモーメントをＦ２とすると、これらの関係はＦ１×Ｌ１＝−Ｆ２×Ｌ２である。したがって、Ｆ２＝−Ｆ１・Ｌ１／Ｌ２（Ｌ１＜Ｌ２）となり、Ｌ１をＬ２よりも十分に小さくすることにより、僅かな押し付け力でも、強力な弾性力を有する弾性部材７を持ち上げてバンド係止状態を解除できる。なお、ここでは簡略化のために、係止状態ではいずれの箇所においても力は加わっていないものと仮定する。本発明では、解除部１５により大きな力を発生させることができるため、弾性部材７の全長が短くてよいという利点も得られる。弾性部材７の全長が短くて堅くても、十分に弾性部材７を持ち上げることができるからである。弾性部材７の全長が短ければ、バックル４の全長を短くすることができ、操作性およびデザイン性を高めることが可能である。
【００２８】
例えばバックル付バンドに上記構造のバックルを使用する際には、操作部１６を指で押す押付け部とし、各部材の材質、形状、各箇所の寸法等を指に合うように適宜設計すれば良い。ただし、本発明のバックルはヘッドバンド用のみに限定されることはなく、あらゆる種類のバンド用バックルとしても使用可能である。
【００２９】
図２および図５は、バンド３をバックル４の挿入部５に挿入し、バンド３の凹部１と弾性部材７の係合部１０が係止した状態を示す断面図である。振動や衝撃等によって解除部材１１がバックル４から簡単に外れないようにするために、解除部材１１の操作部１６側の先端には、突起である止め部１７が形成されている。一方、枠部１８の内面には、止め部１７と対向する位置に、止め部１７の移動範囲を規制する凹部状の受け部１９が形成されている。枠部１８には、挿入されたバンド３がバックル４を通り抜けるように、挿入部５を挿入路として開口部５Ａが形成されている。
【００３０】
止め部１７と受け部１９は解除部材１１の側面など、別の位置に形成することも可能である。止め部１７を凹部にし、バックル４の本体の枠部１８に受け部１９として爪状の突起を形成してもよい。要は、解除部材１１が、バックル本体４Ａの上端よりも上方へ起立しないように、解除部材１１の回動範囲を規制できればよい。ただし、止め部１７と受け部１９は本発明において必須ではなく、形成しない構成も可能である。
【００３１】
この実施形態の解除部１５は、図２および図５に示すように、弾性部材７の自由端９の下面に沿って係合部１０の近傍まで延びている。これにより、解除部材１１の上面と、弾性部材７の上面の高さをほぼ揃えることができ、両者の係合構造が簡単で、成形がし易い利点を有する。解除部１５の先端は上方へ向けて反り上がっており、弾性部材７の自由端９の下面には、解除部１５の先端に対向する位置に、バンド幅方向に延びる溝３１が形成されている。解除部１５の先端が溝３１に嵌まることにより、操作部１６を深く押し下げた際にも、解除部１５と弾性部材７との係合が外れ難いようになっている。
【００３２】
解除部１５は弾性部材７の自由端９を上方に持ち上げることができれば良く、上記構造に限定されることはない。例えば、解除部１５を解除部材１１の上面側に形成し、弾性部材７の自由端９の上面側に係合部を形成し、この係合部に解除部１５の先端を挿入してもよい。あるいは、弾性部材７の自由端９の先端面の厚さ方向中央部に溝を形成し、解除部１５の先端に爪状突起を形成して、両者を係合させた構造としても良い。
【００３３】
解除部１５による弾性部材７の持ち上げ距離を十分に確保できるように、解除部材１１は、自然状態において、軸受部１２側よりも操作部１６側がやや外方へ持ち上げられた位置にあり、それに応じてバックル本体４Ａの形状も設定されている。これにより、操作部１６を十分深く押し込むことが可能となり、前記Ｌ２／Ｌ１の比を大きく採ることが可能となり、軽い押し込み力でバンド３の係止を解除できる。
【００３４】
バンド３に形成されている凹部１および凸部２は、図２および図５に示すように、バンド長手方向に沿う断面において鋸歯状となっている。すなわち、凸部２のバンド引き抜き方向に向かう面がほぼ垂直であり、バンド挿入方向に向かう面が傾斜面とされている。これに対応して、係止爪１０の断面形状も、バンド引き抜き方向に向かう面が傾斜面であり、バンド挿入方向に向かう面がほぼ垂直面とされている。これにより、バンド３をバックル４へ挿入するときには、係合部１０の傾斜面が凸部２の傾斜面に沿って滑り、弾性部材７が持ち上がって係合部１０が凸部２を乗り越えていく。逆に、バンド３をバックル４から引き抜こうとすると、係合部１０の垂直面が凸部２の垂直面に当接し、弾性部材７が持ち上がることなく、バンド３の抜けが防止される。
【００３５】
バンド３の凹部１および凸部２と、弾性部材７の係合部１０の形状は、上記構造に限定されず様々な変形が可能である。例えば、バンド３の凹部１は、バンド３に一定間隔毎に多数形成された孔であってもよく、その場合には、係合部１０は穴に嵌合する例えば棒状の突起であってもよい。また、凹部１及び凸部２の断面形状はサイン波形状、三角波形状等の波形であってもよく、その場合には係合部１０が爪状もしくはそれぞれに対する相補形状等であってもよい。
【００３６】
バックル本体４Ａおよび弾性部材７の材質は限定されないが、ポリエチレン、ポリプロピレン等の一般的な樹脂を使用して成形することで十分な強度と弾性力が確保できる。解除部材１１の材質も限定はされず、上記と同じポリエチレン、ポリプロピレン等の樹脂を使用してもよく、あるいは異なる樹脂を使用してもよいが、バックル本体４Ａよりも機械的強度が要求されることから、バックル本体４Ａおよび弾性部材７よりも高い剛性を有する材料で成形することが好ましい。例えば、金属でも良いが、コストの面からは、例えばポリカーボネート樹脂、ＡＢＳ樹脂、ポリアセタール樹脂、ナイロン樹脂等で成形することが好ましい。
【００３７】
この実施形態では、図５および図１０〜１１に示すように、バックル４を通り抜けたバンド３の先端が通る位置に、バンド止め３２、３６がバンド３と一体的に形成されている。バックル本体４Ａの開口部５Ａからバンド止め３２の中心までの距離Ｌ３と、バンド止め３２の中心からバンド止め３６の中心までの距離Ｌ４は、Ｌ３：Ｌ４＝２：３〜３：２となるように設定されている。この位置関係にあると、図１１に示すように、バックル４を通り抜けたバンド３の先端がバンド止め３２、３６を次々に確実に通り、バンド３の先端をバンド３に隙間無く沿わせて保持することが可能である。バンド止め３２は、バンド３の上面を幅全域に亘って押さえる断面Ｕ字状をなしている。一方、バンド止め３６は、バンド３の両側縁部をそれぞれ係止する一対のＬ字状をなすものである。バンド止め３６にはそれほど強い拘束力が要求されないためである。
【００３８】
ただし、本発明は上記構成に限定されず、バンド止めは一つでもよいし、３以上並べて形成してもよいし、あるいは図１２に示すように形成しなくてもよい。ただし、形成しない場合には、図１２に示すようにバンド３の先端部が浮き上がる可能性がある。
【００３９】
この実施形態では、バックル４とバンド３とを一体成形するために、図８および図９に示すように、解除部材１１と対向する位置で、バンド３には開口部３３が形成されている。この開口部３３が形成されていると、バンド３およびバックル４を一体成形する際の金型の入子構造が容易化でき、コスト低下が図れる。この位置に開口部３３が形成されていることにより、次のような効果も得られる。すなわち、解除部材１１が摩耗等により不具合を生じた場合には、この開口部３３から指を押し入れて解除部材１１を上に押し上げる。すると、止め部１７が受け部１９から外れて解除部材１１が起立するので、この解除部材１１をバックル本体４Ａから引き抜くことができる。したがって、解除部材１１の交換が容易に行える。バックルの用途に応じて、色の違う解除部材１１に交換するといったことも容易となる。ただし、開口部３３は必須ではなく、形成しない構成も可能であるし、別の部材で開口部３３を塞いでおく構成も可能である。
【００４０】
図３は、上記実施形態のバックル４を適用したバックル付バンドの一実施形態を示し、図４はバックル付バンド２０を適用したヘルメットの一実施形態を示している。バックル付バンド２０は、一端にバックル４が一体形成されたバンド３と、このバンド３の左右それぞれの途中から分岐した各分岐部に設けられた補助バックル３５および補助バンド３４とを有している。通常、補助バックル３５および補助バンド３４は、図４に示すように着用者の後頭部の上側に位置し、バンド３とバックル４は後頭部の下側に位置する状態で使用される。一般的に、上側の補助バックル３５および補助バンド３４は、一度調整をすればその後はほとんど調整を要しないため、本発明品よりも簡略な従来型のバンドとバックル構造を採用してもよい。もちろん、補助バックル３５および補助バンド３４として、本発明のバックルおよびバンドを採用してもよい。さらに、補助バックル３５および補助バンド３４を省いて、後頭部も１本のバンドで囲む構成にしてもよい。
【００４１】
図４に示すように、上記バックル付バンド２０は、ヘルメット本体２２の内側に固定された「＋」形状のハンモック２３によって吊され、ヘルメット本体２２の下端部内周に沿って配置される。使用者は通常、本発明に係るバックル４のみを操作してヘルメットを着用することができる。したがって、バックル付バンド２０長さを簡便に調整可能であり、バンド挿入時には係止状態を確実に確保できる。
【００４２】
また、本実施形態のバックル４によれば、押し付け力により簡単にバンドの係止を解除できるので、バックル付バンド並びにヘルメットに使用すれば、バックル付バンドを頭部に固定する際にも着用者が簡便にバンド長さを調整できる。しかも、バックルとバンドとを比較的柔軟性のあるポリエチレン、ポリプロピレン等の合成樹脂により一体成形することが可能であるから、装着時のフィット感も良好となる。
【００４３】
【発明の効果】
本発明のバックル、バックル付バンドおよびヘルメットによれば、バンドを係止する弾性部材の強度を高めて抜け防止効果を高められるにも拘わらず、バンドを緩めるときには、梃子の原理を使用したことにより、解除部材を比較的小さな力で押すだけで弾性部材を変位させることができる。したがって、装着時の操作性が良好である。
【図面の簡単な説明】
【図１】本発明の一実施形態のバックルを示す斜視図である。
【図２】図１のバックルの断面図である。
【図３】図１のバックルを使用したバックル付バンドの展開図である。
【図４】図３のバックル付バンドを使用したヘルメットの斜視図である。
【図５】図１のバックルの断面拡大図である。
【図６】バンド解除状態でのバックルの断面拡大図である。
【図７】図１のバックルにバンドを通した状態での平面図である。
【図８】図１のバックルにバンドを通した状態での裏面図である。
【図９】図１のバックルにバンドを通していない状態での裏面図である。
【図１０】図１のバックルの斜視図である。
【図１１】図１のバックルにバンドを通した状態の斜視図である。
【図１２】本発明の他の実施形態のバックルの斜視図である。
【符号の説明】
１　バンドの凹部
２　バンドの凸部
３　バンド
４　バックル
４Ａ　バックル本体
４Ｂ　バンド支持体
５　バンド挿入部
６　側壁部
７　弾性部材
８　固定端
９　自由端
１０　係合部
１１　解除部材
１２　軸受部
１３　軸部
１４　切り欠き部
１５　解除部
１６　操作部
１７　止め部
１８　側壁部
１９　受け部
２０　バックル付バンド
２２　ヘルメット本体
２３　ハンモック
【図１】
2004000501.tif 000003
【図２】
2004000501.tif 000004
【図３】
2004000501.tif 000005
【図４】
2004000501.tif 000006
【図５】
2004000501.tif 000007
【図６】
2004000501.tif 000008
【図７】
2004000501.tif 000009
【図８】
2004000501.tif 000010
【図９】
2004000501.tif 000011
【図１０】
2004000501.tif 000012
【図１１】
2004000501.tif 000013
【図１２】
2004000501.tif 000014